(57)【要約】      （修正有）【課題】二枚の定規片を使用状態に伸長するに、段差が相互間に生ぜず、折り畳むに、折畳み幅が幅の広いものになるのを防ぎ、定規片を合成樹脂により板厚の薄いものに形成しても、反りが長手方向に生ずるのを防ぐ折畳み定規を提供する。【解決手段】定規片１，２の寸法目盛３ａ，３ｂを設ける板幅Ｗ１を所定厚みに保ち、垂直の段部４，５を定規片１，２の重なり面に設けて板幅Ｗ２を薄板状に形成し、定規片１，２の長手方向片端部には板幅Ｗ２に亘る支持板を設け、支持板を互いに重ねて支軸部７で回転可能に連結し、定規片相互１，２を支軸部７で伸長方向に回転すると、定規片相互１，２を横並びの面一に保ち、重なり方向に回転すると、板幅Ｗ２で互いに重なって定規片相互１，２の折畳み幅を狭幅に保ち、少なくとも片側の定規片２には凹部２７を設け、異材質のプレート部材９を凹部の全長にあてがい装着した。【選択図】図６
0003175349.tif 000002
【実用新案登録請求の範囲】
【請求項１】
同じ長手方向の長さ，幅，板厚を有する帯板状の定規片を二枚備え、寸法目盛を各定規片の長手方向片辺に沿って設けると共に、各定規片の長手方向片端部を互いに支軸部で回転可能に連結し、定規片相互を支軸部で伸長方向に回転すると、各定規片の寸法目盛を横並びに連続可能で、定規片相互を支軸部で重なり方向に回転すると、定規長さを短く折畳み可能な合成樹脂製の折畳み定規であって、
定規片の寸法目盛を設ける片辺寄りの板幅を所定厚みに保ち、垂直の段部を各定規片の重なり面に設けて他辺寄りの板幅を薄板状に形成し、各定規片の長手方向片端部より張り出させて薄板状の板幅に亘る半円弧状の支持板を設け、各支持板を互いに重ねて支軸部で回転可能に連結し、
定規片相互を支軸部で伸長方向に回転すると、各定規片の長手方向片端部を互いに当接させて定規片相互を横並びの面一に保ち、定規片相互を支軸部で重なり方向に回転すると、薄板側の長手方向片辺を相手側の段部に当接し、薄板状の板幅で互いに重なって定規片相互の折畳み幅を狭幅に保ち、
更に、少なくとも片側の定規片に、定規片の長手方向に亘る凹部を薄板状の重なり面に設け、異材質のプレート部材を凹部の全長にあてがい装着したことを特徴とする折畳み定規。
【請求項２】
異材質のプレート部材としては、鏡面板を凹部の全長にあてがい装着したことを特徴とする請求項１に記載の折畳み定規。
【考案の詳細な説明】
【技術分野】
【０００１】
本考案は、定規長さを短く折畳み可能な合成樹脂製の折畳み定規に関するものである。
【背景技術】
【０００２】
従来、帯板状の定規片を二枚備え、寸法目盛を各定規片の長手方向片辺に沿って設けると共に、各定規片の長手方向片端部を互いに支軸で回転可能に連結し、支軸を支点に、定規長さを短く折畳み可能な折畳み定規が提案されている（特許文献１）。
【０００３】
上述した定規は、各定規片を上下に重ね合せて長手方向片端部を支軸で回転可能に連結することにより組み立てられている。その定規では、支軸を支点に、定規片相互を回転させて使用状態に伸長すると、長手方向片端部の重ね合わせ分だけ、段差が上下間に生ずる。この段差により、直線を引く際に、筆記具の芯先が引っ掛かる等の不具合がある。
【０００４】
上述した以外に、帯板状の定規片を二枚備え、長手方向の片辺で相対する端部の角部から４分の３程度の円弧形を呈し、上下に重ね合わせ可能に張り出す薄板状の支持板を設け、上下に重なり合う支持板の略中心位置に設ける支軸で折畳み可能に組み合わせた定規が市販されている。
【０００５】
市販の定規では、各支持板の板厚を相手方の凹溝で受け入れて支持板を重ね合わせることから、上述したような段差は生じない。このため、記載用紙の紙面に当てても、記載用紙の紙面に対する当てがい面を扁平に保てる。但し、市販の定規では、長手方向の片辺相互を突き合わせて二枚の定規片を折り畳むものであるから、折畳み幅が各定規片の２倍となる。
【０００６】
殊に、帯板状の定規片を合成樹脂で薄板状に形成すると、使用に伴う経時的変化により、反りが定規片の長手方向に生じ易い。
【特許文献１】実公昭６３−４５３４５
【考案の開示】
【考案が解決しようとする課題】
【０００７】
本考案は、帯板状の定規片を二枚備え、定規片相互を支軸部で回転可能に連結しても、定規片相互を使用状態に伸長するに、段差が相互間に生ぜず、また、二枚の定規片を折り畳むに、折畳み幅が幅の広いものになるのを防ぐ。更に、定規片を合成樹脂により板厚の薄いものに形成しても、反りが長手方向に生じない折畳み定規を提供することを課題とする。
【０００８】
本考案は、文房具以外にも用途を広げ、利便性を高められる折畳み定規を提供することを課題とする。
【課題を解決するための手段】
【０００９】
本願の請求項１に係る考案は、同じ長手方向の長さ，幅，板厚を有する帯板状の定規片を二枚備え、寸法目盛を各定規片の長手方向片辺に沿って設けると共に、各定規片の長手方向片端部を互いに支軸部で回転可能に連結し、定規片相互を支軸部で伸長方向に回転すると、各定規片の寸法目盛を横並びに連続可能で、定規片相互を支軸部で重なり方向に回転すると、定規長さを短く折畳み可能な合成樹脂製の折畳み定規であって、
定規片の寸法目盛を設ける片辺寄りの板幅を所定厚みに保ち、垂直の段部を各定規片の重なり面に設けて他辺寄りの板幅を薄板状に形成し、各定規片の長手方向片端部より張り出させて薄板状の板幅に亘る半円弧状の支持板を設け、各支持板を互いに重ねて支軸部で回転可能に連結し、
定規片相互を支軸部で伸長方向に回転すると、各定規片の長手方向片端部を互いに当接させて定規片相互を横並びの面一に保ち、定規片相互を支軸部で重なり方向に回転すると、薄板側の長手方向片辺を相手側の段部に当接し、薄板状の板幅で互いに重なって定規片相互の折畳み幅を狭幅に保ち、
更に、少なくとも片側の定規片に、定規片の長手方向に亘る凹部を薄板状の重なり面に設け、異材質のプレート部材を凹部の全長にあてがい装着したことを特徴とする。
【００１０】
本願の請求項２に係る考案は、鏡面板を異材質のプレート部材として凹部の全長にあてがい装着したことを特徴とする。
【００１１】
本考案の課題解決手段によっては、定規片の寸法目盛を設ける片辺寄りの板幅を所定厚みに保つため、定規片相互を支軸部で回転させて伸長すると、各定規片の長手方向片端部を互いに当接させて定規片相互を横並びの面一に保てる。これにより、寸法目盛を設ける長手方向片辺を記載用紙の紙面に当てれば、記載用紙の紙面に対する当てがい面を面一の扁平に保てる。
【００１２】
また、各定規片の寸法目盛を設ける片辺寄りを所定厚みに保ち、他辺寄りの板幅を各板面の相対側に設ける垂直の段部で薄板状に形成すると共に、各定規片の長手方向片端部より張り出させて薄板状の板幅に亘る半円弧状の支持板を設け、各支持板を互いに支軸部で回転可能に連結するため、定規片相互を支軸部で重なり方向に回転すると、定規長さを短く折り畳めるばかりでなく、薄板側の長手方向片辺を相手側の段部に当接し、薄板状の板幅で互いに重なり合うことから、定規片相互の折畳み幅を狭幅に保てる。
【００１３】
更には、各定規片を合成樹脂で形成し、薄板状の板幅で互いに重なり合うようにしても、少なくとも片側の定規片には、定規片の長手方向に亘る凹部を薄板状の幅内に設けると共に、異材質のプレート部材を凹部の全長にあてがい装着するため、異材質のプレート部材により、反りが長手方向に生ずるのを防げる。異材質のプレート部材は、双方の定規片にあてがい装着してもよい。但し、異材質のプレート部材をあてがい装着しない側の定規片は、他の手段により、反りが長手方向に生ずるのを防ぐようにもできる。
【００１４】
異材質のプレート部材としては、鏡面板を凹部の全長にあてがい装着することにより、長手方向の反りが生ずるのを防げると共に、顔を鏡面板で見るような文房具以外の用途にも使用できる。
【考案の効果】
【００１５】
本考案に係る折畳み定規では、各定規片の寸法目盛を設ける片辺寄りの板幅を所定厚みに保つことにより、定規片相互を使用状態に伸長するに伴って、長手方向片端部の重ね合わせによる段差が相互間に生ずるのを防げる。また、二枚の定規片を折り畳むに、薄板状の板幅分で互いに重なり合うため、折畳み幅が幅の広いものになるのを防げる。更に、異材質のプレート部材を凹部の全長にあてがい装着することから、定規片を板厚の薄いものに形成しても、プレート部材のあてがい装着により、長手方向の反りが生ずるのを防ぐようにできる。
【００１６】
それと共に、鏡面板を異材質のプレート部材として凹部の全長にあてがい装着することにより、顔を鏡面板で見るような文房具以外の用途にも使用できる。
【考案を実施するための最良の形態】
【００１７】
本考案の実施の形態は３０ｃｍの寸法目盛を設けた直線定規に係り、以下、それを図１〜図７に基づいて説明する。この折畳み定規は、全体が合成樹脂により形成されている。
【００１８】
図１，２は、帯板状の定規片１，２を二枚備えた折畳み可能な直線定規を折畳み状態で示す。定規片１，２は、長手方向の長さ：１６．５ｃｍ，幅：２．５ｃｍ，板厚：３ｍｍ程度を有する共通の帯板状に形成されている。各定規片１，２には、寸法目盛３ａ，３ｂ（以下、「ｃｍ目盛」という。なお、ｍｍ目盛は図示省略されている。）が長手方向の片辺に沿って設けられている。各定規片１，２は、長手方向片端部を互いに支軸部４で連結することにより回転可能に組み立てられている。
【００１９】
定規片１，２においては、ｃｍ目盛３ａ，３ｂを設ける片辺寄りの板幅Ｗ１は所定の厚みに保たれている。その板幅Ｗ１は、使用者に面する側（以下、「表面側」という。これに対し、記載用紙に面する側を「裏面側」という。）で辺縁に向って下り勾配の傾斜面で形成されている。ｃｍ目盛３ａ，３ｂは、表面側，裏面側のいずれかで共通の片面に形成するようにできる。
【００２０】
他辺寄り残部の板幅Ｗ２は、垂直の段部４，５を相対側に設けて薄板状に形成されている。薄板状の板幅Ｗ２には、半円弧状の支持板６ａ（図２で裏面側のみ現れる。）が各定規片１，２の長手方向片端部より張り出させて設けられている。各支持板６ａは、互いに重ねて支軸部７で回転可能に連結されている。この支軸部７は、各薄板状の支持板６を上下に重ね合せているため、同じ厚みを上下に重ね合せることによるような段部は生じない。また、定規片２の段部４は表面側に設けるため、定規片２の裏面側は全面扁平に形成されている。
【００２１】
支軸部７は、図３で示すように円盤状のキャップ板７０をベースに構成されている。キャップ板７０の板面には、間隔７１，７２を隔てて支軸を兼ねた円弧状の脚部７３，７４がキャップ板７０の同心円上に二つ設けられている。脚部７３，７４の突端側には、掛止め爪７５，７６が夫々外方に突出するよう設けられている。脚部７３，７４の内側には、別もののラチェット部８が組み付けられている。
【００２２】
ラチェット部８は、楕円状のリング部８ａを有し、リング部８ａより外方の直線上に突出する二つの爪状部８ｂ，８ｃを設けて形成されている。リング部８ａは，脚部７３，７４の間で搖動可能な楕円状に形成されている。爪状部８ｂ，８ｃは、脚部７３，７４の間隔７１，７２より外方に突き出る長さに形成されている。
【００２３】
下重なりの定規片２には、図４で示すように間隔２０，２１を隔てて円弧状のガイド縁２２，２３がキャップ板７０（図３参照）の同心円上に突出させて支持板６ａから薄板状の板面に亘るよう設けられている。ガイド縁２２，２３の間には、支持板６ａから薄板状の板面を開口させて脚部７３，７４の幅に相応する抜き穴２４が設けられている。ガイド縁２２，２３の相対面には、脚部７３，７４の掛止め爪７５，７６を係合する弧状の凹溝２５，２６が抜き穴２４の両側で相対するよう設けられている。
【００２４】
上重なりの定規片１には、ガイド縁２２，２３の外周に嵌り合う抜き穴１０が支持板６ａから薄板状の板面に亘るよう設けられている。抜き穴１０の開口縁は、爪状部８ｂ，８ｃの先端側が摺動可能に噛合する複数の突歯１１ａ，１１ｂとして形成されている。
【００２５】
定規片１，２は、薄板状の板幅Ｗ２で上下に重ねると共に、定規片１の抜き穴１０をガイド縁２０，２１の外周に嵌め合わせるよう組み合わせる。次に、キャップ板７０を定規片１の上側からあてがい、脚部７３，７４を抜き穴２４の間に挿置させて脚部７３，７４の掛止め爪７５，７６をガイド縁２２，２３の凹溝２５，２６係合する。これにより、上重なりの定規片１は定規片２のガイド縁２２，２３に沿って回転し、下重なりの定規片２はキャップ板７０と一体に回転可能に組み立てられる。
【００２６】
各定規片１，２は、板幅Ｗ２が薄板状に形成されているが、少なくとも片側の定規片２には、図６，図７で示すように定規片２の長手方向に亘る凹部２７を薄板状の板面に設けることにより、異材質のプレート部材９が凹部２７の全長にあてがい装着されている。この異材質のプレート部材としては、アルミ，ステンレス等の薄板材で形成する鏡面板９をあてがい装着するようにできる。
【００２７】
このように構成する折畳み定規では、定規片１の寸法目盛３ａを設ける片辺寄りの板幅Ｗ１を所定厚みに保つため、定規片相互１，２を支軸部７で回転させて伸長する（図６参照）と、各定規片１，２の長手方向片端部を互いに当接させて定規片相互１，２を横並びの面一に保てる。これにより、寸法目盛３ａ，３ｂを設ける長手方向片辺を記載用紙の紙面に当てれば、記載用紙の紙面に対する当てがい面を面一の扁平に保てる。
【００２８】
また、定規片相互１，２を支軸部７で重なり方向に回転すると、定規長さを短く折り畳めると共に、薄板側の長手方向片辺を相手側の段部４，５に当接し、薄板状の板幅で互いに重なり合うことから、定規片相互１，２の折畳み幅を３．２ｃｍ程度の狭幅に保てる（図６参照）。
【００２９】
更には、各定規片１，２を合成樹脂で形成し、薄板状の板幅で互いに重なり合うようにしても、少なくとも片側の定規片２には、定規片２の長手方向に亘る凹部２７を薄板状の幅内に設けると共に、異材質のプレート部材９を凹部２７の全長にあてがい装着するため、異材質のプレート部材９により、反りが長手方向に生ずるのを防げる。
【００３０】
異材質のプレート部材９としては、アルミ，ステンレス等の薄板材で形成する鏡面板９を凹部の全長にあてがい装着することにより、長手方向の反りが生ずるのを防げると共に、顔を鏡面板９で見るような文房具以外の用途にも使用できる。
【００３１】
上述した折畳み定規では、伸長乃至は折畳み途上に、ラチェット部８の爪状部８ｂ，８ｃが抜き穴１０の突歯１１ａ，１１ｂと摺動しながら噛合する。これにより、「カチ，カチ」というようなクリック感を醸し出せる。また、噛合状態では両者１，２の相対辺による角度を固定的に保てるため、他物品の角度に合わせるよう設定でき、その設定角度を記載用紙の紙面に転載するような使用もできる。
【００３２】
上述した以外に、互いに係合する押え片２８と受け溝１２が支軸部７より離間する定規片１，２の端部寄りに設けられている（図１参照）。押え片２８は、定規片１を受け溝１２で受け入れる隙間を保ち、定規片２の段部４より定規片１の受け溝１２に向けて張出すよう形成されている。受け溝１２は、押え片２８の板厚に相応する深さの切欠溝として形成されている。
【００３３】
それに加えて、互いに係合する円弧状の端部辺２９と受け縁１３が支軸部７より離間する定規片１，２の端部に設けられている（図２参照）。端部辺２９は、薄板状の板幅Ｗ２で定規片１の段部５に向かって円弧状を呈するよう定規片２に形成されている。受け縁１３は、所定厚みに保つ片辺寄りＷ１と面一に伸びるよう定規片１の裏面側に設けられている。
【００３４】
上述した実施の形態では、異材質のプレート部材９を定規片１に設けていないが、押え片２８と受け溝１２の係合、端部辺２９と受け縁１３の係合により、反りが定規片１の長手方向に生ずるのを防ぐようにもできる。
【００３５】
鏡面板９は本考案を実施するための最良の形態として示したが、これ以外に、「○年○組」「氏名」等の記載欄を設けたネームプレートや書き，消し可能な筆記具によるメモボード等を装着するようにできる。
【図面の簡単な説明】
【００３６】
【図１】本考案に係る折畳み定規を折畳み状態で表面側より示す説明図である。
【図２】図１の折畳み定規を折畳み状態で裏面側より示す説明図である。
【図３】図１の折畳み定規に設けられる支軸部を裏面側より示す説明図である。
【図４】支軸部を係止する軸受部を設けた下重なりの定規片を表面側より部分的に示す説明図である。
【図５】上重なりの定規片を表面側より部分的に示す説明図である。
【図６】図１の折畳み定規を伸長状態で部分的に省略させて示す説明図である。
【図７】図１の折畳み定規をＡ−Ａ線断面で示す説明図である。
【符号の説明】
【００３７】
１，２        定規片
３ａ，３ｂ    寸法目盛
４，５        段部
６ａ，６ｂ    支持板
７            支軸部
９            異材質のプレート部材（鏡面板）
Ｗ１          所定厚みの板幅
Ｗ２          薄板状の板幅
【図１】
0003175349.tif 000003
【図２】
0003175349.tif 000004
【図３】
0003175349.tif 000005
【図４】
0003175349.tif 000006
【図５】
0003175349.tif 000007
【図６】
0003175349.tif 000008
【図７】
0003175349.tif 000009